(57)【要約】      （修正有）【課題】人工透析等を行うに際して保温性且つ安全性に優れ、安価で、しかも家庭で洗濯や消毒もでき、生地部の血液などの透過性を保って血液等の漏れの発見を容易にし、看護師等が安心して簡単に使用できる保護カバーを提供する。【解決手段】人工透析または点滴の患者の被処置部位を着脱自在に被覆する可撓性を有するカバー本体２と、被処置部位に対向する部分に設けられた透明の窓部３と、カバー本体を筒状に形成するように、カバー本体の両縁部を接続する接続手段５とを備えたことを特徴とする。【選択図】図１
0003192916.tif 000002
【実用新案登録請求の範囲】
【請求項１】
患者の被処置部位を着脱自在に被覆する可撓性を有するカバー本体と、被処置部位に対
向する部分に設けられた透明の窓部と、前記カバー本体を筒状に形成するように、当該カ
バー本体の両縁側を着脱自在に接続する接続手段とを備えることを特徴とする保護カバー。
【請求項２】
請求項１に記載の保護カバーにおいて、前記筒状のカバー本体の両端開口部を絞る絞り手段を設けたことを特徴とする保護カバー。
【請求項３】
請求項１または２に記載の保護カバーにおいて、前記窓郎は、前記カバー本体の片面における全面積の２０〜８５％に設定され、且つ前記カバー本体の接続する一方側に設けられていることを特徴とする保護カバー。
【考案の詳細な説明】
【技術分野】
【０００１】
本考案は、人工透析、点滴、輸血や献血等（以下、人工透析等という。）の際に使用するのに最適な保護カバーに関する。
【背景技術】
【０００２】
従来、患者の腕に人工透析等を行う場合、ベッドに仰向姿勢になった患者の所定部位（例えば、腕）に針を刺し、人工透析等を静脈内に長時間にわたって一定量投与している。この治療時には、腕から針が不用意に抜けてしまわないように、針とその針に連通するチューブとを、例えば腕に固定させ、薬液もれや出血など異常が無いか監視する必要がある。
【０００３】
特に、人工透析治療は、４〜５時間の長時間にわたるため、針の抜けによる出血、穿針
部からの出血、薬液等の漏れがないかを監視する必要がある。通常は、看護師等が定期的
に針の抜け等による薬液の漏れや出血がないことを確認している。このように看護師等の
人工透析状態の安全確認を容易で且つ迅速に行うために、患者の腕は常時目視できるよう
に露出された状態を維持する必要がある。患者は、例えば、腕を露出された状態で長時間
放置されると、室内がエアコンにより適度の温度に維持されていた場合であっても、衰弱
や貧血等のため、寒く感じることがあるため、患者が腕をタオルや毛布などで被覆してい
たり、看護師がシートを腕に巻いている等で、出血事故の看視に支障があるのが現状であ
る。
【０００４】
人工透析治療等には長時間を要することから、患者が不用意に腕を動かしたり、針を抜
いてしまったりするおそれもあり、特に、高齢者や認知症の患者は、自己抜去の可能性が
高くなり、安全性も考慮する必要がある。
【０００５】
従来では、針刺入部の保護と自己抜去防止のための点滴保護具が公知である（例えば、
特許文献１参照）。かかる保護具は、矩形状の布巾からなる保護部材を、腕に面ファスナーで着脱自在に装着したものである（例えば、特許文献１参照）。
【先行技術文献】
【特許文献】
【０００６】
【特許文献１】実用新案登録第３ １ ４ ２１４７号公報
【考案の概要】
【考案が解決しようとする課題】
【０００７】
特許文献１に記載の点滴保護具は、矩形状の布巾からなる保護部材を、腕に装着する構
成であるため、針刺入部の保護と自己抜去防止をある程度図ることは可能である。しかし、針刺入部をタオル等の保護部材で完全に覆ってしまうため、看護師等が針刺入部を常時目視することはできず、針刺入部を目視するためには、保護部材を腕から着脱する作業が必要であり、取り扱いが面倒である問題があった。さらに、この保護具は構造上家庭で洗濯や消毒ができない問題があった。又、複雑な構造のためと交換部があるため高価なものとなり、現在高齢化が進んでいる多くめ透析患者にとって経済的な負担が大きいという問題もあった。又、非吸湿性の素材を使っているため、特に透析時、血液漏れの発見が遅れる危険があった。
【０００８】
そこで、本考案は、人工透析等を行うに際して保温性且つ安全性に優れ、安価で、しか
も家庭で洗濯や消毒もでき、生地部の血液などの透過性を保って血液等の漏れの発見を安
易にし、看護師等が安心して簡単に使用できる保護カバーを提供することを課題とする。
【課題を解決するための手段】
【０００９】
本考案は、前記課題を解決するためになされたもので、本考案の保護カバーは、患者の
被処置部位を着脱自在に被覆する可僥性を有するカバー本体と、被処置部位に対向する部
分に設けられた透明の窓部と、前記カバー本体を筒状に形成するように、当該カバー本体
の両縁側を着脱自在に接続する接続手段とを備えることを特徴とする。
【００１０】
かかる本考案の保護カバーは、透明の窓部を備えているので、看護師等は、被処置部位
を常時目視できることとなり、人工透析等の状態を監視することが可能となる。また、透
明の窓部から人工透析等を目視できることから安心である。しかも、保護カバーは、腕等
の被装着部分を被覆しているため、エアコンからの冷気を防ぐことができる。
【００１１】
前記保護カバーにおいて、前記筒状のカバー本体の両端開口部を絞る絞り手段を設けた
ことを特徴とする。かかる場合には、カバー本体の両端開口部を適度に絞ることができる
ため、さらに保温性にも優れている。又、開口部を紐等で絞っているのでカバー本体の両
端開口部から手を入れ針やチューブを高齢者や認知症の患者が不用意に触れることは出来
ないので出血事故を低減できる。
【００１２】
前記保護カバーにおいて、前記窓部は、前記カバー本体の片面における全面積の２０〜
６５％に設定され、且つ前記カバー本体の接続する一方側に設けられていることを特徴と
する。
【考案の効果】
【００１３】
本考案は、可撓性を有するカバー本体と、穿刺可能な部位に対向する部分に設けられた
透明な窓部と、カバー本体の両縁部を接続する接続手段とを備えるので、人工透析等を行うに際して保温性且つ安全性に優れ、安心して簡単に使用できる。
【図面の簡単な説明】
【００１４】
【図１】（a）は本考案第１実施形態に係る保護カバーを斜め上方から見た斜視図、（ｂ）は同じく斜め下方から見た斜視図である。
【図２】本考案第１実施形態に係る保護カバーの正面図である。
【図３】図２におけるＡ−Ａ線部分拡大断面図である。
【図４】図２におけるＢ−Ｂ部分拡大断面図である。
【図５】本考案第１実施形態に係る保護カバーの左有両端部を接続させて筒形状にした状態を輪切りして示した断面図である。
【図６】本考案第１実施形態に係る保護カバーを縫合して組み付ける前の状態を示した斜視図である。
【図７】同じく次行程の状態を示した斜視図である。
【図８】同じく更なる次行程の状態を示した斜視図である。
【図９】（a）は絞り手段の取り付け状態を示した部分正面断面図、（ｂ）は同じく絞り手段によりカバー本体の端部を絞る方法を示した部分正面断面図である。
【図１０】本考案第１実施形態に係る保護カバーの使用状態図である。
【図１１】本考案第１実施形態に係る保護カバーの使用状態を拡大して示した正面図である。
【図１２】本考案第２実施形態に係る保護カバーの斜視図である。
【図１３】本考案第３実施形態に係る保護カバーの使用状態を示した正面図である。
【考案を実施するための形態】
【００１５】
以下、本考案を実施するための形態を添付図面に沿って詳述する。
【００１６】
図１（a）（ｂ）及び図２に示す第１実施形態の保護カバー１は、人工透析を必要とする患者の腕を覆うカバー本体２と、患者の人工透析周辺部位を外観視させる透明又は半透明の窓シート４で遮蔽された窓部３と、カバー本体２の左右両端部を接続させる接続手段５と、カバー本体２の前後両端部を緊縮方向に絞る絞り手段６（６Ａ、６Ｂ）とが設けられてなる。
【００１７】
保護カバー１は、図示する略平坦な方形状に広げた状態から、患者の腕に１周巻き付けて沿わせる筒形状にすることができるのであり、これを可能にするために、カバー本体２と窓シート４と接続手段５と絞り手段６は、いずれも柔軟性の高い材料で形成されている。
【００１８】
保護カバー１で点滴を行う片方の腕を覆うと、人工透析患者の寝返りなどの行為、人工透析患者が腕の人工透析周辺部位にかゆみが生じることによる人工透析部位の掻きむしり行為、無意識に人工透析用針及び人工透析用チューブの取り外しをしようとする行為等が行われようとしても、人工透析針及び人工透析チューブ前端部は、腕の人工透析部位から取り外されることがないように構成されている。
【００１９】
窓部３は、人工透析患者及び看護師等が、保護カバー１を取り付けた状態で、人工透析等用針及び人工透析用チューブが針刺入部位から外れていないか確認するためにある。このため、窓部３は、カバー本体２の左右何れか片寄った面に設けられている。窓部３がこの位置になるように保護カバー１を腕に取り付けると、接続手段５は人工透析患者等が他方の手で操作し易い向きになる。又、窓部３は、前記カバー本体２の片面における全面積の２０〜８５％、好ましくは３０〜７５％に設定され、且つ前記カバー本体２の一方側に設けられている。前記面積が、２０％未満になると、針刺入部位の面積が小さく、当該針刺人部位が制限されて人工透析等の治療に支障が生じるのであり、一方、８５％を超えると、肌触りが悪くなったり、保温性や耐久性が悪化するので、いずれの場合も好ましくない。
【００２０】
接続手段５は、左右の両端部５ａ、５ｂを接続させて、保護カバー１を腕に巻き付けた筒形状の状態を維持させることができる。
【００２１】
絞り手段６（６Ａ、６Ｂ）は、腕に取り付けた保護カバー１の前端部を手首辺りで軽く固定し、後端部を腕に軽く固定させて、保護カバー１の不用意なズレ、抜け外れ、横回り方向のズレ等を防止させることができる。
【００２２】
図１（ａ）（ｂ）及び図２に示す平坦な状態に広げられた保護カバー１の大きさは、考案者による第１の試作品によれば、図２に示す横方向の全体幅Ｗ３５ｃｍ、縦方向（前後方向）の全体長Ｌが４０ｃｍとされている。この大きさは、大人の腕全体（上腕部と前腕部）を略覆うサイズの保護カバー１を想定しているが、これらの寸法は本考案を限定するものではない。例えば、子供の腕の大きさに合わせた縮小サイズの子供用保護カバーであっても良く、図示していないが、人工透析患者の前腕部のみを保護する短尺サイズの保護カバーにすることも可能である。
【００２３】
前述の試作品によれば、窓部３は、横幅Ｘが約１５ｃｍ、前後幅Ｙが約２６ｃｍとされているが、これらの寸法は本考案を限定するものではない。前述した確認ができるものであれば、更に小さな窓部３であっても良いのである。
【００２４】
窓部３は保護シート１の略上下対称位置に設けられているため、保護シート１は上下の向きを問題にすることなく使用できる。
【００２５】
カバー本体２は、人工透析患者の腕に直接触れるため、肌触りがよい生地が使用される。例えば、タオル地として数多く使用されるパイル織りした生地で出来た生地は、肌触りが良く、汗及び血液等の吸湿性及び吸液性に優れるという点において、最適な生地である。
【００２６】
保護カバー１は、寒冷時の外気及びエアコンの冷風を受けることによる腕の寒さ及び冷たさに対する保温性を主要機能の１つとするため、１枚構造の生地よりも２枚重ね構造のカバー本体２であることが好ましい。本実施形態において、この２枚重ね構造は、生地を２つ折りにすることにより形成されている。カバー本体２用に適した他の生地として、平織した綿布、不織布等が挙げられる、これらの生地は厚みが薄い場合が通常であるため、２枚以上に重ねたカバー本体２にすることが好ましい。  ２枚の重ねた生地の間に脱脂綿などの保温材料を収納させるようにしてもよい。また、カバー本体２に用いられる生地の繊推糸に、抗菌・殺菌剤、或いは、臭いの吸着機能と遠赤機能を有する活性炭微粉末を保持させるようにしてもよい。
【００２７】
カバー本体２には、厚みが薄い生地を用いてもよいが、どのような生地を用いるかは、前述した保温性、患部付近の発熱の発散性、蒸れ防止、使用季節等を考慮して適当な生地が選択される。例えば、柔軟性に優れる紙製の生地を重ねたカバー本体２は、材料コストとトムソン加工による裁断が行なえる点において、経済性及び衛生面で優れる家庭での繰り返し洗濯と減菌可能な保護カバー１になるのである。
【００２８】
図示していないが、２枚若しくは３枚以上の生地を重ねたカバー本体２とすることも可能であり、また、素材及び織構造の異なる２枚若しくはそれ以上の生地、不織布等を適宜組み合わせて重ね合わせたカバー本体２とすることも可能である。カバー本体２に用いる生地が、熱可塑性合成樹脂製シート、熱可塑性合成繊維を素材とする織布及び不織布の場合には、後述する縫合に代えて高周波溶着によりカバー本体２周囲等の積層した生地を溶着させることができる。
【００２９】
窓部３に取り付けられている透明又は半透明の窓シート４としては、用いる最適材料として、柔軟性の高い抗菌性と静電気防止性をもつ透明又は半透明のポリ塩化ビニール又はポリエチレン製シートが挙げられる。窓シート４は、上述した掻きむしり等の行為、保護カバー１の洗濯、保護カバー１の保管時における折りたたみ等の行為に耐えるに十分な強度を有する。この窓部３は目視によって外部から内部を確認できるものであれば特に限定されるものではなく、透明又は半透明のシートの他、網等も挙げられる。
【００３０】
図６は、カバー本体２用に裁断された縫合前であり且つ２つ折り前の生地２０の状態を示す斜視図である。図６において、２０ａは２つ折り用の折線を示している。
【００３１】
図６に示すように、カバー本体２用に裁断された生地２０の外周における左右縁部（長尺端縁部）と、前端縁部及び後端端部（両短尺端縁部）には、細幅の折り返し代２０ｂ、２０ｂ、２０ｃ、２０ｃが夫々設けられている。
【００３２】
カバー本体用に裁断された生地２０の折線２０ａを中心とした前後の各面２１、２２における左右何れか片寄った面には、窓部用にするための大きな矩形状の開口部２１ａ、２２ａが設けられている。各開口部２１ａ、２２ａの内側周縁部には、折り返し代２０ｄ、２０ｄ・・・が設けられている。各開口部２１ａ、２２ａは折線２０ａを中心にした対称位置にあり、後の縫合加工の際に、前後の各面２１、２２を、折線２０ａを中心に折り返して重ね合わせると、１つの窓部用開口部になる。
【００３３】
各折り返し代２０ｂ、２０ｂ、２０ｃ、２０ｃ、２０ｄ、２０ｄは、後の縫合加工前に、内側面になる方向に折り返すと、カバー本体２の周囲と開口部周囲の糸のほつれが防止されると共に、カバー本体２の周囲と開口部２１ａ、２２ａ周囲の補強がなされる。
【００３４】
図７示すように、縫合加工前の工程において、生地２０の各折り返し代２０ｂ、２０ｂ、２０ｃ、２０ｃ、２０ｄ、２０ｄは折り返され、この工程の後、生地２０は、折線２０ａを中心に２つ折りされる。この折り返しの際に、図８示すように、双方の開口部２１ａ、２２ａ周囲の折り返し代２０ｄ、２０ｄ・・・の間に窓シート４を挟み入れ、左側の折り返し代２０ｂ、２０ｂの間に一方のファスナー部５ａを挟み入れ、右側の折り返し代２０ｄ、２０ｄの間に他方のファスナー部５ｂを挟み入れた状態で、重なり合う生地２０の左右両端近傍部を縫合し、重なり合う開口部２１ａ、２２ａの周囲を窓シート４と共に縫合する。
【００３５】
また、図１（ａ）（ｂ）及び図２に示す紐通し部２４、２５をカバー本体２の前後両端部に設けるように、前後方向の間隔を設けて横方向の左右両端部まで縫合する。以上のように構成すると、窓シート４とファスナー部５更に紐通し部２４、２５を取り付けたシート本体２が出来上がる。
【００３６】
また、この縫合作業の際に、紐通し部２４、２５内の略全長に亘り紐７、７を夫々位置させて、紐７、７の各一端部７ａ、７ａをカバー本体２と共に縫合させると、紐７、７の各一端部７ａ、７ａは、カバー本体２に固定される。
【００３７】
図３及び図４に示すように、窓シート４の周縁近傍部は、開口部２１ａ、２２ａ周囲の折り返し代２０ｄ、２０ｄ・・・の間に挟み付けられた状態で取り付けられている。このため、窓シート４の縁部が肌に当たって肌触りを悪くすることはなく、しかも、窓シート４の取り付けが確りと行なわれる。
【００３８】
図３に示すように、紐通し部２４、２５は、折り返し部２０ｃ、２０ｃを重ねた２枚重ね構造となり、このため、紐７、７の引き付けが繰り返し行なわれても、傷み難い構造になるのである。
【００３９】
図４に示すように、ファスナー部５ａ、５ｂの取り付け箇所も、折り返し部２０ｂ、２０ｂを重ねた２枚重ね構造になっている。このため、丈夫なファスナー部５ａ、５ｂの取り付け構造になる。
【００４０】
図５は、ファスナー部５ａ、５ｂを接合させて筒状に形成した保護カバー１の輪切り断面構造を示す。
【００４１】
図１（ａ）（ｂ）、図２及び図６示すように、本実施形態の保護カバー１に用いられている接続手段５には、左右一対の線状ファスナーが用いられている。片側のファスナー部５ａは、カバー本体２の左右何れか一方の縁部に沿って取り付けられている。他方のファスナー部５ｂは、カバー本体２の他方の縁部に沿って取り付けられている。双方のファスナー部５ａ、５ｂの接続は、ファスナー部５ａに支持されている操作具５ｃを操作して、双方のファスナー部５ａ、５ｂを噛み合わせる方法で行われる。この接続手段５は、線状ファスナーに限定されず、一対の面ファスナー、ホック、ボタン等の他の接続構造を持つ接続手段とすることも可能である。
【００４２】
図１（ａ）（ｂ）、図２及び図６示すように、本実施形態の保護カバー１に用いられている絞り手段６には、２本の紐７、７と、各紐７の留部材８と、各紐７の一端部に支持されるツマミ９とを構成部品とする２組のもので構成されている。
【００４３】
図９（ａ）（ｂ）に示すように、本実施形態においては、留部材８は、小型有底筒形状の本体部８１と、この本体部８１内に進退自在に突入する操作部８２と圧縮コイルばね８３とを有し、本体部８１の側面には紐通し孔８１ａが設けられ、操作部８２には、縦長楕円形状の紐通し孔８２ａが設けられた組付品が用いられている。
【００４４】
紐通し部２４、２５内の略全長に亘り位置する紐７、７の他端部は、紐通し部２４、２５内から外方向に１０ｃｍ程度長く突出している。紐７、７の突出している途中部に留部材８、８が、紐７、７に支持された状態で移動と係止が可能に支持されている。このため、留部材８とツマミ９との間の間隔が広がるように、紐の突出している部分を引くと、紐通し部２４（２５）が位置する保護カバー１の一端部が、紐７の一端部７ａと留部材８に引き付けられて緊縮状態になる。
【００４５】
留部材８は、図９（ａ）に示すように、本体部８１内にコイルばね８３を入れ、コイルばね８３を圧縮させるように操作部８２を突入させた状態で、双方の紐通し孔８１ａ、８２ａ内に紐７を通した状態で支持されている。
【００４６】
このため、操作部８２と操作部８２とを２本の指先で挟み付けるようにして持ち、操作部８２の先端部を当該操作部８２内に深く押し込む操作をすると、コイルばね８３は圧縮され、双方の紐通し孔８１ａ、８２ａが連通した状態になって、紐７に沿った移動が可能になる。
【００４７】
この状態で留部材８を紐７に沿って移動させて所定の位置状態にした後、留部材８から指先を離すと、図９（ｂ）に示すように圧縮されていたコイルばね８３の戻り方向の弾発力により、操作部８２が後退方向に移動して、双方の紐通し孔８１ａ、８２ａの位置ズレによる紐７の挟み付けが生じる結果、留部材８の位置が係止される。このため、カバー本体２の一端部の緊縮状態が維持される。図１（ａ）（ｂ）及び図２に示す保護カバー１の前後の各一端部の絞り操作は、このような操作で行なわれる。尚、この絞りの解除は、上述した指先の操作をしながら、留部材８を図９（ａ）に示す位置まで移動させればよい。
【００４８】
紐７の他端部７ｂを掌（てのひら）で持ち、留部材８の押操作と移動を指先で行なう操作は、看護師等の他人の手を借りて行うことができる。
【００４９】
図１０及び図１１に示すように、人工透析患者が透析をする際に透析をする腕８０を本実施形態の保護カバー１で覆うことができるのであり、しかも、保護カバー１の窓部３を透して、汚れた血液が流出する側の人工透析用針９２Ａと浄化された血液が流人する側の人工透析用針９２Ｂ、これらの針９２Ａ、９２Ｂ近くの人工透析用チューブ９３Ａ、９３Ｂのそれぞれの一端部の状態を確認することができる。
【００５０】
図１２に示す第２実施形態に係る保護カバー１Ａは、カバー本体２と、透明又は半透明の窓シート４と、一対のテープ形状を有する面ファスナー５０（５０ａ、５０ｂ）とが組み付けられて構成されている。
【００５１】
カバー本体２は、窓シート４を挟み付けることができる大きさの開口部２０１ａが形成された第１の生地２０１と、この生地２０１を片側に挟み付けることができる両端部が開口された第２の生地２０２とにより構成されている。
【００５２】
窓シート４を挟んで縫合により固定した第１の生地２０１は、折り返し部２０１ｂ、２０１ｂを先端にして第２に生地２０２の片側聞口内に挟んだ状態で、平坦にした第２の生地２０２とともに、縫合して接続されている。
【００５３】
このように構成されたカバー本体２における左右両端部の一方の縁近傍部に、一方の面ファスナー部５０ａが縫合により取り付けられ、カバー本体２における左右両端部の他方の縁近傍部に、他方の面ファスナー部５０ｂが縫合により固定されている。
【００５４】
この第２実施形態の保護カバー１Ａに用いられるカバー本体２の生地と、窓シート４は、前述した第１実施形態の場合と同様のものが用いられている。
【００５５】
この第２実施形態に係る保護カバー１Ａも第１実施形態の場合と同様に、人工透析患者の腕に巻き付けて使用し、その取り付けには、面ファスナー部５０ａ、５０ｂを重ね合わせて接合する。
【００５６】
前述の第１実施形態及び第２実施形態においては、窓部に透明又は半透明の窓シートが取り付けられているが、図１３に示す第３実施形態に係る保護カバー１Ｂは、窓部３に繊維糸を材料とする網５０が取り付けられている。
【００５７】
網５０を取り付けた窓部３の場合も、人工透析患者による寝返りなどの行為、人工透析部位の掻きむしり行為、人工透析用針及び人工透析用チューブの取り外しをしようとする行為等が行われようとしても、人工透析針及び人工透析チューブ前端部は、腕の人工透析部位から取り外されることはない。
【００５８】
網目のある窓部３は、人工透析部位周辺の通気性を良好にして蒸れ、発汗を防止させることができる。網５０は、人工透析用針９２と人工透析用チューブ先端部９３ａが、窓部３の外から目視し易い程度の大きさの網目と、色を有する。
【００５９】
また、前記実施形態の窓３は矩形状の場合を例示したが、窓３の形状は、矩形状に限定
されるものではなく、例えば、楕円形や円形更に三角形、或いは多角形等の任意な形状を
採用することができる。又、接続手段としては、線状ファスナ―や面ファスナーの他、ホックやボタン等、カバー本体の両縁側を着脱自在に接続できるものであれば特に限定されるものではない。
【００６０】
また、患者の被装着部位は、腕７に限定されるものではなく、脚等の肢体であってもよ
い。
【産業上の利用可能性】
【００６１】
本考案は、血液透析や点滴等を長時間にわたって行う場合に患者の使用部位の冷えを防
止すると共に、安全で快適な医療の実現を可能にする。
【符号の説明】
【００６２】
１    第１実施形態の保護カバー
１Ａ  第２実施形態の保護カバー
１Ｂ  第３実施形態の保護カバー
２    カバー本体
３    窓部
４    窓シート
５    接続手段
６    絞り手段
７    紐
８    留部材
９    ツマミ
２０    生地
２０ａ  折線
２０ｂ〜 ２０ｄ  折り返し代
２１ａ,  ２１ｂ  開口部
９２Ａ、９２Ｂ  人口透析用針
９３Ａ、９３Ｂ  人口透析用チューブ
【図１】
0003192916.tif 000003
【図２】
0003192916.tif 000004
【図３】
0003192916.tif 000005
【図４】
0003192916.tif 000006
【図５】
0003192916.tif 000007
【図６】
0003192916.tif 000008
【図７】
0003192916.tif 000009
【図８】
0003192916.tif 000010
【図９】
0003192916.tif 000011
【図１０】
0003192916.tif 000012
【図１１】
0003192916.tif 000013
【図１２】
0003192916.tif 000014
【図１３】
0003192916.tif 000015
【手続補正書】
【提出日】平成26年6月27日(2014.6.27)
【手続補正１】
【補正対象書類名】実用新案登録請求の範囲
【補正対象項目名】全文
【補正方法】変更
【補正の内容】
【実用新案登録請求の範囲】
【請求項１】
患者の被処置部位を着脱自在に被覆する可撓性を有するカバー本体と、被処置部位に対
向する部分に設けられた透明の窓部と、前記カバー本体を筒状に形成するように、当該カ
バー本体の両縁側を着脱自在に接続する接続手段とを備えることを特徴とする保護カバー。
【請求項２】
請求項１に記載の保護カバーにおいて、前記筒状のカバー本体の両端開口部を絞る絞り手段を設けたことを特徴とする保護カバー。
【請求項３】
請求項１または２に記載の保護カバーにおいて、前記窓部は、前記カバー本体の片面における全面積の２０〜８５％に設定され、且つ前記カバー本体の接続する一方側に設けられていることを特徴とする保護カバー。